(57)【要約】【課題】  本発明は泡ソープ自動ディスペンサーに関し、特に洗剤、シャンプー、ハンドソープ、ボディソープ等の発泡性液体を空気と混合させて微粒泡を生成し、該微粒泡を自動吐出することのできる泡ソープ自動ディスペンサーを提供する。【解決手段】  装置本体に液体ソープタンクを配置固定し、該液体ソープタンクの下端に設けられた液体排出口から液体ソープが排出され、該液体ソープがエアーポンプによって泡創成部に送出されると共に、泡創成部へエアー注入・待避管からエアーが押し上げられ、更に泡・液送出管とフィルターを経て、泡排出口より微細化された泡ソープが泡排出口より吐出されるように構成したことを特徴とする泡ソープ自動ディスペンサー。【選択図】図２
2016198456.tif 000002
【特許請求の範囲】
【請求項１】
装置本体に液体ソープタンクを配置固定し、該液体ソープタンクの下端に設けられた液体排出口から液体ソープが排出され、該液体ソープがエアーポンプによって泡創成部に送出されると共に、泡創成部へエアー注入・待避管からエアーが押し上げられ、更に泡・液創出管とフィルターを経て、泡排出口より微細化された泡ソープが泡排出口より吐出されるように構成したことを特徴とする泡ソープ自動ディスペンサー。
【請求項２】
装置本体１の下部内側には、バッテリーが配置されており、その上部にエアーポンプ４が配置され、該エアーポンプは、スイッチパーツの作動によって駆動開始されて、液体ソープタンクの下部液体排出口より吐出するソープ液を泡創成部へ送りこむように構成されたことを特徴とする請求項１記載の泡ソープ自動ディスペンサー。
【請求項３】
液体ソープタンクの下部液体排出口に逆止弁が設けられており、該逆止弁は、エアーポンプの作動中には閉じられているので、液体ソープタンク内にはエアーを送れないように構成したことを特徴とする請求項１記載の泡ソープ自動ディスペンサー。
【請求項４】
エアーポンプが停止した時は、液体ソープの自重で逆止弁が開き、液体ソープが吐出して、補充され、泡創成部とエアー注入管の中に液体ソープが満たされ、圧力調整管の上方には極小の孔が穿孔されているのでエアーが抜けることにより、泡創成部とエアー注入管の中に液体ソープが運び込まれるように構成したことを特徴とする請求項１記載の泡ソープ自動ディスペンサー。
【請求項５】
エアーポンプを作動させるとき、エアー注入管に溜まった液体ソープがエアーの力によって泡創成部に押し上げられ、泡と液体ソープが泡排出口に向かって送られるように構成したことを特徴とする請求項１記載の泡ソープ自動ディスペンサー。
【請求項６】
逆止弁の作用で液体ソープタンクにエアーが行かないため、泡と液体ソープの進行方向は泡・液送出管方向のみとなることを特徴とする請求項１記載の泡ソープ自動ディスペンサー。
【請求項７】
エアーポンプを停止すると、液体ソープタンク下部の逆止弁が開き、液体ソープが補充されると共に、エアーの力で押し上げられた液体ソープが泡・液送出管から下降して、エアー・待避管に溜まるように構成したことを特徴とする請求項１記載の泡ソープ自動ディスペンサー。
【請求項８】
圧力調整管の先端にある圧力調整部の極小孔からエアーポンプの作動で生じる圧力を逃がすことを特徴とする請求項１記載の泡ソープ自動ディスペンサー。
【発明の詳細な説明】
【技術分野】
【０００１】  本発明は泡ソープ自動ディスペンサーに関し、特に洗剤、シャンプー、ハンドソープ、ボディソープ等の発泡性液体を空気と混合させて微粒泡を生成し、該微粒泡を自動吐出することのできる泡ソープ自動ディスペンサーに関するものである。
【背景技術】
【０００２】  従来、頭髪や肌などの身体に用いるシャンプー、ハンドソープ、ボディソープ等の洗浄剤は、泡状で使用することにより適正な洗浄効果が発揮されるものであった。【０００３】  そのためポンプによる泡生成方法、エアゾールによる泡生成方法、電動による泡生成装置やディスペンサーが開発されている。
【先行技術文献】
【特許文献】
【０００４】
【特許文献１】  特開２０１１−１２１８９６号公報
【特許文献２】  特開平９−２９９２７０号公報
【発明の概要】
【発明が解決しようとする課題】
【０００５】  前記せる引用文献の特開２０１１−１２１８９６号公報では、モーターにより回転するスクリューを有する泡発生装置を用い、スクリューの回転により洗浄剤組成物と空気とを混合して洗浄用の泡を生成することを特徴としている。【０００６】  また、前記せる引用文献の特開平９−２９９２７０号号公報では、タンクに貯留された石鹸液をポンプで吸い上げて混合室へ導入し、ポンプの加圧によって混合室の液に気泡を混入しつつムース状にして吐出管から吐出させる手動式のソープディスペンサーである。【０００７】  特許文献１の場合、モータドライブによって泡を発生させて吐出するものであったが、吐出部が原液タンクの真下に位置しており、構造上、起泡室内に泡又はソープ液がいつまでも残存してしまう問題があり、不用意に漏出してしまう問題があった。【０００８】  特許文献２の場合、操作キャップの押圧操作の繰り返しでムース状となった石鹸液を吐出するものであったが、混合室に残存するムース状の石鹸液がムース状に維持されない場合があり、安定したムース状の吐出ができない場合があった。【０００９】  また、市販の他社製品には、液用とエアー用の各ポンプを有する構造のものがあるが、この場合、排出できる泡の量は、そのポンプの容量に限られるものであり、たくさんの泡が必要な場合、何回も同じ動作を繰り返さなければならなかったので、面倒であり、不便であった。【００１０】  なお、ほんの少量が必要な場合も選ぶことは出来ず、ポンプの容量分が勝手に吐き出されるだけであり、連続吐出させることはできず、また、常に一定量の泡を吐出することしかできなかった。【００１１】  また、スイッチを遮断した後も、吐出経路内に残圧が残り、この残圧により泡が出続ける液だれが生じることがあった。【００１２】  これに対する本発明の課題は、スイッチパーツによって泡を吐出させることも可能であり、使用料の限定もできるほか、スイッチパーツに触れているだけで、必要時間で任意の量を吐出することも可能で、安定した泡ソープを必要に応じて吐出できる泡ソープ自動ディスペンサーを提供することである。
【課題を解決するための手段】
【００１３】  本発明の泡ソープ自動ディスペンサーは、装置本体に液体ソープタンクを配置固定し、該液体ソープタンクの下端に設けられた液体排出口から液体ソープが排出され、該液体ソープがエアーポンプによって泡創成部に送出されると共に、泡創成部へエアー注入・待避管からエアーが押し上げられ、更に泡・液創出管とフィルターを経て、泡排出口より微細化された泡ソープが泡排出口より吐出されるように構成したことを特徴とし、装置本体の下部内側には、バッテリーが配置されており、その上部にエアーポンプが配置され、該エアーポンプは、スイッチパーツの作動によって駆動開始されて、液体ソープタンクの下部液体排出口より吐出するソープ液を泡創成部へ送りこむように構成されたことを特徴とし、液体ソープタンクの下部液体排出口に逆止弁が設けられており、該逆止弁は、エアーポンプの作動中には閉じられているので、液体ソープタンク内にはエアーを送れないように構成したことを特徴とし、エアーポンプが停止した時は、液体ソープの自重で逆止弁が開き、液体ソープが吐出して、補充され、泡創成部とエアー注入管の中に液体ソープが満たされ、圧力調整管の上方には極小の孔が穿孔されているのでエアーが抜けることにより、泡創成部とエアー注入管の中に液体ソープが運び込まれるように構成したことを特徴とし、エアーポンプを作動させるとき、エアー注入管に溜まった液体ソープがエアーの力によって泡創成部に押し上げられ、泡と液体ソープが泡排出口に向かって送られるように構成したことを特徴とし、逆止弁の作用で液体ソープタンクにエアーが行かないため、泡と液体ソープの進行方向は泡・液送出管方向のみとなることを特徴とし、エアーポンプを停止すると、液体ソープタンク下部の逆止弁が開き、液体ソープが補充されると共に、エアーの力で押し上げられた液体ソープが泡・液送出管から下降して、エアー・待避管に溜まるように構成したことを特徴とし、且つ、圧力調整管の先端にある圧力調整部の極小孔からエアーポンプの作動で生じる圧力を逃がすことを特徴とする泡ソープ自動ディスペンサーである。
【発明の効果】
【００１４】  以上説明したように本発明に係る泡ソープ自動ディスペンサーによれば、洗剤、シャンプー、ハンドソープ、ボディソープ等の発泡性液体を空気と混合させて微粒泡を生成し、該微粒泡を自動吐出することのできる泡ソープ自動ディスペンサーであって、特に、スイッチパーツの操作によりエアーポンプが始動されて泡ソープが吐出口より吐出され、該スイッチパーツの操作によりエアーポンプが停止して泡ソープの吐出が中止されるように構成されているので、使用者が必要な時にのみスイッチパーツの操作をすれば、その時にのみ泡ソープを自動的に吐出し、または不要の場合は吐出を中止させる構成であるので、泡ソープを便利に使用することができる。
【図面の簡単な説明】
【００１５】
【図１】  本発明に係る泡ソープ自動ディスペンサーの正面図である。
【図２】  図１のＡ―Ａ線における縦断面図である。
【発明を実施するための形態】
【００１６】  以下、図１乃至図２に基づき、本発明の泡ソープ自動ディスペンサーの構造及び動作について以下に説明する。
【００１７】  装置本体１の下部内側には、バッテリー５が配置されており、その上部にエアーポンプ４が配置されている。
【００１８】  エアーポンプ４は、スイッチパーツ９の作動によって駆動開始されて、液体ソープタンク２の下部液体排出口２３より吐出するソープ液２１を泡創成部１０へ送りこむ。
【００１９】  液体ソープタンク２の下部液体排出口２３には逆止弁２４が設けられている。
この逆止弁２４は、エアーポンプ４の作動中には閉じられているので、液体ソープタンク２内にはエアーを送ることはない。
【００２０】  そして、エアーポンプ４が停止した時は、液体ソープの自重で逆止弁２４が開き、液体ソープが吐出する。
【００２１】  エアーポンプ４が停止した状態では液体ソープが補充され、泡創成部１０とエアー注入管１３の中に液体ソープが満ちた状態になる。
【００２２】  圧力調整管１１の上方には極小の孔が穿孔されているので、そこからエアーが抜けることにより、泡創成部とエアー注入管の中に液体ソープが運び込まれる。
【００２３】  エアーポンプ４を作動させると、エアー注入管１３に溜まった液体ソープがエアーの力によって泡創成部１０に押し上げられ、泡と液体ソープが泡排出口７に向かって送り込まれる。
【００２４】  前述したように、逆止弁２４の作用で液体ソープタンク２にはエアーが行かないため、泡と液体ソープの進行方向は泡・液送出管１３方向のみとなる。
【００２５】  エアーポンプ４を停止すると、液体ソープタンク２下部の逆止弁２４が開き、液体ソープが補充されると共に、エアーの力で押し上げられた液体ソープ２１が泡・液送出管８から下降して、エアー・待避管１３に溜まる。
【００２６】  この現象は、圧力調整管１１の先端にある圧力調整部品２２の極小孔からエアーポンプの作動で生じる圧力を逃がすことで実現している現象である。
【産業上の利用可能性】
【００２７】  本発明は、以上説明したような構成であるので、使用者が必要な時にのみ吐出口近傍のスイッチパーツを操作すれば、その時にのみ泡ソープを自動的に吐出し、不要の場合は吐出が中止される構成であるので、泡ソープを便利に使用することができ、洗剤、シャンプー、ハンドソープ、ボディソープ等の発泡性液体を空気と混合させて微粒泡を生成し、該微粒泡を自動吐出することのできる泡ソープ自動ディスペンサーとして幅広く利用できるので、産業上の利用可能性の高いものである。
【符号の説明】
【００２８】  １  装置本体
２  液体ソープタンク
２１  ソープ液
２２  圧力調整部
２３  液体排出口
２４  逆止弁
３  カバー
４  エアーポンプ
５  バッテリー
６  フィルター
７  泡排出口
８  泡・液送出管
９  スイッチパーツ
１０  泡創成部
１１  圧力調整管
１２  分岐部品
１３  エア注入・待避管
【図１】
2016198456.tif 000003
【図２】
2016198456.tif 000004